(57)【要約】【課題】従来のインターネット機能付きテレビジョン受信機において、通信速度の確認を行おうとすると、一度インターネット放送との接続を切断し、インターネット速度測定サイトにアクセスを行い、通信速度の確認を行い、再度閲覧したいインターネットに接続しなければならなかった。【解決手段】インターネット閲覧が可能なテレビジョン受信機において、ユーザがインターネット通信を開始した場合に、ＴＣＰ／ＩＰで接続したコンテンツサーバとのコネクション確立からデータ転送、コネクションの切断までの時間とそのデータ量より通信速度の算出を行う。これにより、インターネット通信を行いながらの通信速度情報の表示を可能にする。さらには、通信速度を時刻情報とともに記録する手段を有することで、ある一定期間の通信速度を時刻情報とともに一覧表示することを可能にする。【選択図】図１
2007110308.tif 000002
【特許請求の範囲】
【請求項１】
インターネットを介してホームページにアクセスする機能を有するテレビジョン受信機であって、インターネット接続を行う通信手段と、サーバとの間のコネクション確立からコネクション切断までの時間をカウントするカウンタと、前記時間内の受信データ量を測定する測定手段と、前記時間と前記受信データ量をもとに通信速度を算出する手段と、前記通信速度を表示する表示手段を有するインターネット機能付きテレビジョン受信機。
【発明の詳細な説明】
【技術分野】
【０００１】
本発明は、インターネット機能を有するテレビジョン受信機に関するものである。
【背景技術】
【０００２】
近年、一般家庭へのインターネットの普及率が高まっており、インターネットに接続可能なテレビジョン受信機を用いることにより、パソコンを使わずにして、ＨＴＭＬや静止画はもとより、インターネット放送として動画などを表示することが可能になった。
【０００３】
しかし、インターネットを行う場合において静止画ならまだしもストリーミング等の動画においては、アクセス数の増大等による通信速度の低下が原因で、正常に再生、画面表示できなくなる場合が考えられる。
【０００４】
デジタル放送においては、受信状態をアンテナレベル表示で確認する手法がある。インターネット放送において、テレビ放送の受信レベルに相当するものは、通信速度（転送スピード）と考えられるが、現状、通信速度を測定するためには、一度現在アクセスしているサイトをぬけ、インターネット上の通信速度サイトに再度アクセスをして、通信速度の確認を行う必要がある。つまり、リアルタイムでの通信速度を把握することはできない。
【特許文献１】特開平１０−１７３７２６号公報
【発明の開示】
【発明が解決しようとする課題】
【０００５】
従来のインターネット機能付きテレビジョン受信機において、通信速度の確認を行おうとすると、一度インターネット放送との接続を切断し、インターネット速度測定サイトにアクセスを行い、通信速度の確認を行い、再度閲覧したいインターネットに接続しなければならなかった。
【０００６】
そこで本発明では、インターネットをしている状態において、通信速度を自動で定期的に測定し表示させることを可能にする。
【０００７】
これによって、ストリーミング等の動画の再生時において、アクセス数の増大やネットワークの接続速度が足りない場合等の理由により、正常に再生、画面表示できなくなった場合において、リアルタイムに現状の通信速度の確認を行うことができる。
【０００８】
また、通信速度の記録を記憶することにより、接続しやすい時間、接続しにくい時間をユーザが知ることができる。
【課題を解決するための手段】
【０００９】
インターネット閲覧が可能なテレビジョン受信機において、ユーザがインターネット通信を開始した場合に、ＴＣＰ／ＩＰで接続したコンテンツサーバとのコネクション確立からデータ転送、コネクションの切断までの時間とそのデータ量より通信速度の算出を行う。
【００１０】
次に、算出した複数回の通信速度をもとに通信速度の上限値を決め、決定した通信速度の上限値に対して通信速度の表示を行い、ユーザに断続的に通信速度の情報を提供することを可能にする。
【００１１】
さらには、通信速度を時刻情報とともに記録する手段を有することで、ある一定期間の通信速度の一覧表示を可能にする。
【発明の効果】
【００１２】
本発明のインターネット機能付きテレビジョン受信機は、テレビジョン受信機上でインターネットをしている状態において通信速度を自動に測定し表示させることを可能にする。
【００１３】
これによって、ストリーミング等の動画の再生時において、アクセス数の増大やネットワークの接続速度が足りない場合等の理由により、正常に再生、画面表示できなくなった場合においても現状の通信速度の確認を行うことができる。。
【発明を実施するための最良の形態】
【００１４】
（実施の形態１）図１に本発明の実施方法を示す。ユーザはインターネット機能付きテレビ受信機において、リモコンのインターネット起動ボタンを押下しインターネット通信を開始する（ステップ１）と、ＴＣＰ／ＩＰで通信を行っているインターネット機能付きテレビジョン受信機は、接続したいコンテンツサーバとの間でコネクションが確立される（ステップ２）。コネクションが確立されると、引き続きデータ転送が行われ（ステップ３）、データ転送後コネクションが切断される（ステップ４）。本インターネット機能付きテレビジョン受信機は、コネクション確立（ステップ２）からコネクション切断（ステップ４）までの時間をカウントすると同時に（ステップ５）、受信したデータ量をモニタしており（ステップ６）、このコネクション接続からコネクション切断までの時間と受信したデータ量をもとに、通信速度を算出する（ステップ７）。また同時に複数回の通信速度をもとに通信速度の上限値を決定し（ステップ８）、決定した通信速度の上限値に対して、ステップ７での通信速度を表示する。（ステップ９・図２参照）これらのステップ２からステップ９を一定時間毎、繰り返すことにより、インターネット通信を行いながらの通信速度の表示を可能とする。通信速度の上限値は、通信速度が現在設定されている通信速度上限値をこえた場合には再設定を行う。また、さらには通信速度の上限値は、あらかじめ設定しておいてもよいし、ユーザが自分で設定できるようにしてもよい。
【００１５】
（実施の形態２）
図２に本発明の実施方法を示す。ユーザはインターネット機能付きテレビ受信機において、リモコンのインターネット起動ボタンを押下しインターネット通信を開始する（ステップ１）と、ＴＣＰ／ＩＰで通信を行っているインターネット機能付きテレビジョン受信機は、接続したいコンテンツサーバとの間でコネクションが確立される（ステップ２）。コネクションが確立されると、引き続きデータ転送が行われ（ステップ３）、データ転送後コネクションが切断される（ステップ４）。本インターネット機能付きテレビジョン受信機は、コネクション確立（ステップ２）からコネクション切断（ステップ４）までの時間をカウントすると同時に（ステップ５）、受信したデータ量をモニタしており（ステップ６）、このコネクション接続からコネクション切断までの時間と受信したデータ量をもとに、通信速度を算出する（ステップ７）。また同時に、算出した通信速度の情報とそのときの時刻情報（ステップ８）をテレビジョン受信機のメモリに記録させる（ステップ１０）。これらのステップ３からステップ１０を一定時間毎に繰り返し行い、ユーザが希望するときには、メモリから記録した時刻ごとの通信速度のデータを読み出し、通信速度データを時刻情報とともに表示することを可能にする。（ステップ１１）その際に複数回の通信速度をもとに通信速度の上限値を決定し（ステップ８）、決定した通信速度の上限値に対して、ステップ７での通信速度をグラフ化して表示してもよい。
【産業上の利用可能性】
【００１６】
本発明にかかるインターネットテレビジョン受信機は、テレビジョン受信機上でインターネットをしている状態において通信速度を自動に測定し表示させることによって、ストリーミング等の動画の再生時において、アクセス数の増大やネットワークの接続速度が足りない場合等の理由により、正常に再生、画面表示できなくなった場合においても現状の通信速度の確認を行うことができるものであり、インターネット機能を有するテレビジョン受信機において有用である。
【図面の簡単な説明】
【００１７】
【図１】実施例１の説明図
【図２】通信速度表示例を示す図
【図３】実施例２の説明図
【符号の説明】
【００１８】
１    インターネット機能付きテレビジョン受信機
２    コンテンツサーバ
【図１】
2007110308.tif 000003
【図２】
2007110308.tif 000004
【図３】
2007110308.tif 000005